(57)【要約】      （修正有）【課題】使い勝手の良く、眼やその周囲の毛様体筋に生ずる疲労を効率よく緩和するための眼部加減圧装置を提供する。【解決手段】眼部加減圧装置１０は、眼の周辺部に当接して保持され、該眼の前の空気を外部と遮断するアイカップ部１２と、アイカップ部１２の一部に設けられアイカップ部１２の内外を挿通する接続部１４と、該接続部１４に接続されアイカップ部１２内の気圧を増減させる気圧増減器１６とを有する。気圧増減器１６を作動させることでアイカップ部１２内の気圧を増減させることができ、この気圧の増減に応じて毛様体筋や眼筋をほぐすように作用させることができる。【選択図】図１
0003206781.tif 000002
【実用新案登録請求の範囲】
【請求項１】
眼の周辺部に当接して保持され、該眼の前の空気を外部と遮断するアイカップ部と、
前記アイカップ部の一部に設けられ前記アイカップ部の内外を連通する接続部と、
該接続部に接続され前記アイカップ部内の気圧を増減させる気圧増減器とを有することを特徴とする眼部加減圧装置。
【請求項２】
請求項１記載の眼球加減圧装置であって、前記アイカップ部は左右一対配設され、１つの前記気圧増減器から分岐した管部がそれぞれ前記接続部に接続され、左右一対の前記アイカップ部内の空気を増減させて前記アイカップ部内の気圧を操作することを特徴とする眼部加減圧装置。
【請求項３】
請求項１記載の眼部加減圧装置であって、前記気圧増減器は中空の球状の弾性体からなることを特徴とする眼球加減圧装置。
【請求項４】
請求項１記載の眼球加減圧装置であって、前記アイカップ部には当該アイカップ部内の気圧を所定内に制御するための弁体が設けられていることを特徴とする眼部加減圧装置。
【考案の詳細な説明】
【技術分野】
【０００１】
本考案は、目の疲れを緩和できる眼部加減圧装置に関し、特に空圧を利用したマッサージを可能とする眼部加減圧装置に関する。
【背景技術】
【０００２】
今日、ＰＣや画面付きの携帯端末の使用時間も増大しており、眼の疲れを訴える人も増えつつあるのが現状である。眼の疲れは、ピント調節機能を果たす水晶体の弾力性が弱まって生じるのが一因として挙げられる。水晶体を調節するのが、眼の奥にある毛様体筋で、同じ距離の物を長く見ていると毛様体筋が緊張している状態になっていることや、伸縮機能が低下していることが疲れ眼の主な原因と言われている。また、近視、遠視、乱視、老眼の方で、眼鏡やコンタクトレンズを使っていない、あるいは使っていても適切に矯正されていない場合には、ピント調節のために毛様体筋が酷使される傾向にある。更に、加齢に応じて水晶体が硬くなることがあり、毛様体筋は焦点を合わせようとするように働くため、疲れやすくなって行くとされている。眼の奥の筋肉が疲れて固まると、神経的につながっている首の筋肉や肩の筋肉の凝りに連鎖する。
【０００３】
このような眼やその周囲の毛様体筋に生ずる疲労を緩和するための装置として、例えば、加熱、振動、空気圧により眼部をマッサージする眼部マッサージ器（例えば、特許文献１）なる装置が知られており、該眼部マッサージ器によれば有効に眼部に血液循環を促進して視覚の負担を和らげて眼部の疲労を低減し得ると開示されている。
【先行技術文献】
【特許文献】
【０００４】
【特許文献１】登録実用新案公報  第３１３０３４６号
【０００５】
ところが、上記の装置では、空気圧を制御するエアポンプに加えて加熱装置、振動装置などを含んでおり、これらは電動であることから、電源が必要とされ、動作のための機構も複雑なものとなる。また、眼帯部にこれらの装置が取り付けられる構造となるため、装置重量がかさみ、使用勝手が良くないなどの側面もある。
【０００６】
そこで、本考案は上述の技術的な課題に鑑み、使い勝手の良く、眼やその周囲の毛様体筋に生ずる疲労を効率よく緩和するための眼部加減圧装置の提供を目的とする。
【０００７】
上述の技術的な課題を解決するため、本考案の眼部加減圧装置は、眼の周辺部に当接して保持され、該眼の前の空気を外部と遮断するアイカップ部と、前記アイカップ部の一部に設けられ前記アイカップ部の内外を挿通する接続部と、該接続部に接続され前記アイカップ部内の気圧を増減させる気圧増減器とを有することを特徴とする。
【０００８】
上述の如き眼部加減圧装置によれば、気圧増減器を作動させることでアイカップ部内の気圧を増減させることができ、この気圧の増減に応じて毛様体筋や眼筋をもみほぐすように作用させることができる。従って、本考案の眼部加減圧装置を使用することで、眼の周りや奥の筋肉を和らげ、眼部の疲労を低減することができる。
【図面の簡単な説明】
【０００９】
【図１】本考案の実施形態にかかる眼部加減圧装置の構造を示す概略斜視図である。
【図２】本考案の実施形態にかかる眼部加減圧装置を装着して運転している状態を示す水平断面図である。
【図３】本考案の第２の実施形態の眼部加減圧装置の要部を示す正面図である。
【考案を実施するための形態】
【００１０】
本考案の第１の実施形態にかかる眼部加減圧装置を、図面を参照しながら説明する。図１に示すように、本実施形態の眼部加減圧装置１０は、眼の周辺部に当接して保持され、該眼の前の空気を外部と遮断するアイカップ部１２、１２と、前記アイカップ部１２、１２の一部にそれぞれ設けられ前記アイカップ部１２、１２の内外を連通する接続部１４、１４と、該接続部１４、１４に接続されアイカップ部１２，１２内の気圧を増減させる気圧増減器１６とを有している。
【００１１】
本実施形態では、アイカップ部１２、１２は例えば、一般的な水泳用のゴーグルを構成するような一対の部品であり、人の眼を覆うように装着する構造とされ、眼の周りの皮膚に接触する部分にはゴムや発泡性合成樹脂などの皮膚への当りを軽減するような柔軟な周辺材料部２８が配設される。アイカップ部１２、１２の形状は、人の眼の形状に沿って横長の楕円形状とされ、眼の前にアイカップ部１２、１２による閉ざされた空間を形成する。アイカップ部１２、１２自体は、透明性のある樹脂材料で構成することができ、眼を開いた状態ではアイカップ部１２、１２を介して外側が見えるように構成される。アイカップ部１２、１２の周端部は周辺材料部２８、２８が全周にわたるように取り付けられ、装着時にアイカップ部１２、１２に内部を気密に保つことができる。
【００１２】
このような一対のアイカップ部１２、１２は、その間の部分を橋渡しして接続する連結部材２６を介して接続され、それぞれ一対のアイカップ部１２、１２の、連結部材２６とは反対側の端部では、装着時に頭部の後ろ側を回るゴム製のバンド２４部が接続される。当該眼部加減圧装置１０の装着時には、バンド部２４が、連結部材２６を介して連結する一対のアイカップ部１２、１２の眼尻側を引っ張ることになり、周辺材料部２８、２８を介してアイカップ部１２、１２はカップ内部を気密とするように保持される。バンド部２４は、アイカップ部１２、１２に取り付けられる部分で折り返され且つ保持されるように構成されるのは、通常の水泳用のゴーグルと同様である。
【００１３】
一対のアイカップ部１２、１２には、それぞれアイカップ部１２の内外を挿通する接続部１４、１４が一部に設けられる。これら接続部１４、１４は、例えば筒状の部材であり、アイカップ部１２の厚みを貫通する。接続部１４、１４のアイカップ部１２の内側に臨む部分は、アイカップ部１２の内壁と面一とすることができ、逆にアイカップ部１２の外側では、先細り形状に突出し、その突出した接続部１４、１４の先端に管部２１、２３を接続するようにできる。管部２１、２３は継手２２を介して一本の管部２０に合流し、その管部２０の他端で弁体１８を介して空気の出し入れを行う気圧増減器１６に接続される。接続部１４、１４をアイカップ部１２、１２と一体に設けることもでき、別体に設けることもできる。接続部１４、１４を挿通穴の形状とし、管部２１、２３を気密となるように挿入するような構造であっても良い。管部２０、２１、２３は気圧増減器１６と接続部１４、１４の間に設けられ、アイカップ部１２の内の空気の出し入れのルートとして機能する。これら管部２０、２１、２３は、所要の柔軟性を有する合成樹脂管からなり、例えば、使用者がアイカップ部１２、１２などからなるゴーグルを装着したところで、使用者が手で操作する気圧増減器１６に連結するのに遊びを以て十分な長さとなるように設けられる。
【００１４】
気圧増減器１６は、概ね鶏卵形状の中空のゴム等の合成樹脂材料からなり、使用者が手で押すことで気圧増減器１６の内部の空気を外に出し、使用者が手で押した状態から手を放すことで気圧増減器１６が膨らみ、気圧増減器１６の内部へ空気を吸い込むことができる。例えば、使用者の眼に対して毛様体筋等の緩和を図る場合には、気圧増減器１６の膨らんだ部分を使用者が手である程度押し込んだ状態でゴーグルを装着し、気圧増減器１６を押している手を放すことで、眼の前のアイカップ部１２の内部空間を幾分負圧として眼球表面に負圧を与え、その眼球に連結した毛様体筋を少々伸ばすように作用する。この作用によって、毛様体筋をストレッチした状態に持ち込むことができ、疲れ眼を癒すことができる。
【００１５】
気圧増減器１６は、管部２０との間に圧力調整バルブなどの弁体１８を設けており、負圧や正圧が所定の範囲を超えたときに大気に戻すように機能する。このため過剰な空気圧が眼にかかるようなことは未然に防止されることになる。
【００１６】
また、本実施形態においては、気圧増減器１６は、ゴム等の合成樹脂材料からなる中空の装置であるが、他の気圧増減器の例としては、手動ではなく小型のポンプ、送風機、鞴（ふいご）やシリンダーなどの機構を用いることも可能である。これらの機構であっても、電動とされるのは手元の気圧増減器１６だけに止まり、アイカップ部１２の近傍にはモーターなどの機構部は存在せず、装着時における負担は従来のものに大幅に軽減される。
【００１７】
図２は、本実施形態の眼部加減圧装置１０を使用者に装着して使用しているところの断面図である。使用時には、先に説明したような気圧増減器１６から空気が供給されて眼が正圧を受けることもあり、アイカップ部１２の空気を排気して眼２７が負圧を受けることもあり、これらを繰り返すことで疲れた眼球周りの筋肉をほぐすことができる。眼部加減圧装置１０の運転方法として、大気圧と負圧の間の繰り返しや、大気圧と正圧との繰り返しや、負圧と正圧の繰り返しなど種々のパターンで運転することができ、圧力を与える時間や変化させる間隔なども制御し、例えば電動で小型のポンプやアクチュエーターなどの使用してプログラムされたとおりに制御することも可能である。図２に示すように、例えば、眼２７に負圧を与える場合では、アイカップ部１２内の空間１３の圧力が下がり、アイカップ部１２自体は使用者の眼の周りにより気密を保つように密着するため、僅かな負圧であっても眼２７の表面と周囲に作用して、確実に疲れた眼球周りの筋肉をほぐすことができる。また、本実施形態の眼部加減圧装置１０から空気を送りこんで眼の前の空間を正圧に制御する場合では、過剰な圧力はアイカップ部１２の周囲の周辺材料部２８の顔２９の表面との密着を弱めることになり、周辺材料部２８と顔２９の間で余分な空気が逃げるため、眼２７への過剰な加圧による悪影響は未然に防止されることになる。
【００１８】
図３は、第２の実施形態の眼部加減圧装置３０の要部を示す図であり、空気の出し入れを行う気圧増減器は、先の実施形態の気圧増減器１６と同様のものを使用できるために省略している。なお、気圧増減器は手動タイプであっても良く、制御装置付きの電動タイプであっても良い。図示しない気圧増減器は合成樹脂製のチューブからなる管部４２に接続され、この管部４２は一対のアイカップ部３２、３２の連結する連結部材３６と一体的に形成された接続部３４に接続され、目頭近傍で一本の管部４２が接続部３４で分岐してアイカップ部３２、３２に連通する構造とされている。また、アイカップ部３２、３２の周端部で使用者の顔面に接する部分には、ゴム材若しくはウレタン等の発泡材などからなる周辺材料部３８、３８が形成されるが、一対のアイカップ部３２、３２の一部には、アイカップ部１２内の圧力を所定の範囲に保つための弁体４０、４０が形成されている。弁体４０、４０は、アイカップ部１２内の圧力が過剰な正圧となった場合には、内部の空気をリークするように機能し、逆にアイカップ部１２内の圧力が過剰な負圧となった場合には、外部の空気を内部に導いて圧力を調整する。このため眼への過剰な加圧による悪影響は未然に防止されることになる。弁体４０の簡単な構造のものとしては、例えば弾性片で開口部を塞ぐ構造のものを外向きと内向き並列に配設することでも可能である。
【００１９】
なお、上述の実施形態においては、眼部加減圧装置の構造をそれぞれ一対のアイカップ部１２、３２を有する構造として説明したが、両目を１つのアイカップ部で覆うような構造であっても良く、一対のアイカップ部を有しているが、目頭付近の接続部で空間的につながっているような構造であっても良い。また、眼の前に導入される気圧増減器からの空気の温度を調整したり、湿度を調整することもでき、目薬や眼に有効な液体を霧状として眼に届けるように構成することも可能である。
【００２０】
本考案の眼部加減圧装置１０、３０は全体として、小型で軽量であり、鞄などにも収納可能であって、旅先などでも簡単に使用することができる。また、装着時や使用時においては、アイカップ部１２、３２を通常の水泳用のゴーグルのようにシースルー構造とするだけで、周りが見渡せることになり、他の作業をしながらの眼の周りの筋肉をほぐすようなことも可能である。
【符号の説明】
【００２１】
１０  眼部加減圧装置
１２  アイカップ部
１３  空間
１４  接続部
１６  気圧増減器
１８  弁体
２０  管部
２１  管部
２２  継手
２３  管部
２４  バンド部
２６  連結部材
２７  眼
２８  周辺材料部
２９  顔
３０  眼部加減圧装置
３２  アイカップ部
３４  接続部
３６  連結部材
３８  周辺材料部
４０  弁体
【図１】
0003206781.tif 000003
【図２】
0003206781.tif 000004
【図３】
0003206781.tif 000005